(57)【特許請求の範囲】
【請求項１】
（Ａ−１）自己吸水性を有し、水を含んだ樹脂製発泡部材、及び、
（Ａ−２）該樹脂製発泡部材を収納する収納部材、
から構成された保冷部材であって、
該樹脂製発泡部材は、乾燥した樹脂製発泡部材を水槽内の２０℃の水に浮かべたとき、１８０秒以内に乾燥質量の３０倍以上の水を吸収する樹脂製発泡部材であり、
該樹脂製発泡部材が、その断面において、１．５ｍｍ×２．０ｍｍの領域内に１００個以上１万個以下の気泡を含み、
使用時、樹脂製発泡部材に含まれた水を、固相状態、若しくは、液相及び固相状態とすることを特徴とする保冷部材。
【請求項２】
収納部材は、防水性と通気性とを備えた材料から成ることを特徴とする請求項１に記載の保冷部材。
【請求項３】
収納部材は、不透水性を有する材料から成ることを特徴とする請求項１に記載の保冷部材。
【請求項４】
樹脂製発泡部材は、ウレタンフォームから成ることを特徴とする請求項１乃至請求項３のいずれか１項に記載の保冷部材。
【請求項５】
樹脂製発泡部材は、メラミンフォームから成ることを特徴とする請求項１乃至請求項３のいずれか１項に記載の保冷部材。
【請求項６】
樹脂製発泡部材は、ポリビニルアルコールスポンジから成ることを特徴とする請求項１乃至請求項３のいずれか１項に記載の保冷部材。
【請求項７】
水には薬剤が含まれていることを特徴とする請求項１乃至請求項６のいずれか１項に記載の保冷部材。
【請求項８】
薬剤は抗菌剤であることを特徴とする請求項７に記載の保冷部材。
【請求項９】
収納部材は袋状であることを特徴とする請求項１乃至請求項８のいずれか１項に記載の保冷部材。
【請求項１０】
収納部材内において、樹脂製発泡部材は、水の移動を妨げること無く、複数の区画に分けられていることを特徴とする請求項１乃至請求項９のいずれか１項に記載の保冷部材。
【請求項１１】
（Ａ−１）自己吸水性を有し、水を含んだ樹脂製発泡部材、及び、
（Ａ−２）該樹脂製発泡部材を収納する収納部材、
から構成された保冷部材、並びに、
（Ｂ）該保冷部材が保持される装着部材、
を備えた保冷用具であって、
該樹脂製発泡部材は、乾燥した樹脂製発泡部材を水槽内の２０℃の水に浮かべたとき、１８０秒以内に乾燥質量の３０倍以上の水を吸収する樹脂製発泡部材であり、
該樹脂製発泡部材が、その断面において、１．５ｍｍ×２．０ｍｍの領域内に１００個以上１万個以下の気泡を含み、
使用時、樹脂製発泡部材に含まれた水を、固相状態、若しくは、液相及び固相状態とすることを特徴とする保冷用具。
【請求項１２】
収納部材は、防水性と通気性とを備えた材料から成ることを特徴とする請求項１１に記載の保冷用具。
【請求項１３】
収納部材は、不透水性を有する材料から成ることを特徴とする請求項１１に記載の保冷用具。
【請求項１４】
装着部材は衣服状であることを特徴とする請求項１１乃至請求項１３のいずれか１項に記載の保冷用具。
【請求項１５】
装着部材は頭部に装着されることを特徴とする請求項１１乃至請求項１３のいずれか１項に記載の保冷用具。
【請求項１６】
装着部材は首部に装着されることを特徴とする請求項１１乃至請求項１３のいずれか１項に記載の保冷用具。
【請求項１７】
樹脂製発泡部材は、ウレタンフォームから成ることを特徴とする請求項１１乃至請求項１６のいずれか１項に記載の保冷用具。
【請求項１８】
樹脂製発泡部材は、メラミンフォームから成ることを特徴とする請求項１１乃至請求項１６のいずれか１項に記載の保冷用具。
【請求項１９】
樹脂製発泡部材は、ポリビニルアルコールスポンジから成ることを特徴とする請求項１１乃至請求項１６のいずれか１項に記載の保冷用具。
【請求項２０】
水には薬剤が含まれていることを特徴とする請求項１１乃至請求項１９のいずれか１項に記載の保冷用具。
【請求項２１】
薬剤は抗菌剤であることを特徴とする請求項２０に記載の保冷用具。
【請求項２２】
収納部材は袋状であることを特徴とする請求項１１乃至請求項２１のいずれか１項に記載の保冷用具。
【請求項２３】
収納部材内において、樹脂製発泡部材は、水の移動を妨げること無く、複数の区画に分けられていることを特徴とする請求項１１乃至請求項２２のいずれか１項に記載の保冷用具。
【請求項２４】
（Ａ−１）自己吸水性を有し、水を含んだ樹脂製発泡部材、及び、
（Ａ−２）該樹脂製発泡部材を収納する収納部材、
から構成された保冷部材、並びに、
（Ｂ）該保冷部材が保持される装着部材、
を備えた保冷用具の冷却方法であって、
該樹脂製発泡部材は、乾燥した樹脂製発泡部材を水槽内の２０℃の水に浮かべたとき、１８０秒以内に乾燥質量の３０倍以上の水を吸収する樹脂製発泡部材であり、
該樹脂製発泡部材が、その断面において、１．５ｍｍ×２．０ｍｍの領域内に１００個以上１万個以下の気泡を含み、
保冷用具を冷凍庫内にて冷却し、以て、樹脂製発泡部材に含まれた水を、固相状態、若しくは、液相及び固相状態とすることを特徴とする保冷用具の冷却方法。
【請求項２５】
収納部材は、防水性と通気性とを備えた材料から成ることを特徴とする請求項２４に記載の保冷用具の冷却方法。
【請求項２６】
収納部材は、不透水性を有する材料から成ることを特徴とする請求項２４に記載の保冷用具の冷却方法。
【発明の詳細な説明】
【技術分野】
【０００１】
本発明は、保冷部材、保冷用具、及び、保冷用具の冷却方法に関する。
【背景技術】
【０００２】
従来より、身体の保冷等を目的として、保冷部材を用いた保冷用具が、種々、提案されている。例えば、特開２００６−２３８９１８には、ポリビニルアセタール系樹脂多孔質体から成る乾湿可逆性基材を、疎水性粗目ネットから成る保持材で包み込み、その保持材に、基材を身体の保冷箇所に臨ませるための身体装着機能を持たせた保冷具が提案されている。この保冷具は、ポリビニルアセタール系樹脂多孔質体に吸収させた水の気化熱によって身体を保冷するというものであって、身体の所定部位を保冷するのに使用される。また、体に接するように装着すると共に、体に接しない側の面を水を周囲に浸透させる素材とした導水手段と、導水手段と接するように設けられ、水を保持すると共に保持している水を導水手段の表側の面に浸透させながら供給する保水手段とを具備する冷却シートが、特開２０００−１２６２２０に開示されている。更には、親水性ポリウレタン発泡体から成るマット本体に水分を吸収させた保冷マットが、特開２００１−３５４２７５に開示されている。
【０００３】
【特許文献１】特開２００６−２３８９１８
【特許文献２】特開２０００−１２６２２０
【特許文献３】特開２００１−３５４２７５
【発明の開示】
【発明が解決しようとする課題】
【０００４】
これらの特許公開公報に開示された技術にあっては、水の気化熱によって身体あるいは商品を冷却する。しかしながら、身体あるいは商品を、より一層低い温度で長時間、冷却することができる保冷部材に対する強い要求がある。また、特開２００６−２３８９１８に開示された保冷具にあっては、乾湿可逆性基材は疎水性粗目ネットから成る保持材によって包み込まれているので、使用する状況によっては、乾湿可逆性基材に含まれている水が衣服等を濡らしてしまう虞がある。また、特開２０００−１２６２２０に開示された冷却シートにおいても、使用する状況によっては、保水手段であるスポンジに含まれている水が衣服等を濡らしてしまう虞がある。即ち、これらの特許公開公報に開示された保冷具や冷却シートにあっては、配置された環境を汚染してしまう虞があるといった問題を有する。
【０００５】
従って、本発明の目的は、身体あるいは商品をより一層低い温度で長時間、冷却することができ、しかも、配置された環境を汚染することが無い保冷部材、係る保冷部材を用いた保冷用具、及び、係る保冷用具の冷却方法を提供することにある。
【課題を解決するための手段】
【０００６】
上記の目的を達成するための本発明の保冷部材は、
（Ａ−１）自己吸水性を有し、水を含んだ樹脂製発泡部材、及び、
（Ａ−２）該樹脂製発泡部材を収納する収納部材、
から構成されており、
使用時、樹脂製発泡部材に含まれた水を、固相状態、若しくは、液相及び固相状態とすることを特徴とする。
【０００７】
上記の目的を達成するための本発明の保冷用具は、
（Ａ−１）自己吸水性を有し、水を含んだ樹脂製発泡部材、及び、
（Ａ−２）該樹脂製発泡部材を収納する収納部材、
から構成された保冷部材、並びに、
（Ｂ）該保冷部材が保持される装着部材、
を備えており、
使用時、樹脂製発泡部材に含まれた水を、固相状態、若しくは、液相及び固相状態とすることを特徴とする。
【０００８】
上記の目的を達成するための本発明の保冷用具の冷却方法は、
（Ａ−１）自己吸水性を有し、水を含んだ樹脂製発泡部材、及び、
（Ａ−２）該樹脂製発泡部材を収納する収納部材、
から構成された保冷部材、並びに、
（Ｂ）該保冷部材が保持される装着部材、
を備えた保冷用具であって、
保冷用具を冷凍庫内にて冷却し、以て、樹脂製発泡部材に含まれた水を、固相状態、若しくは、液相及び固相状態とすることを特徴とする。
【０００９】
本発明の保冷部材、本発明の保冷用具における保冷部材、本発明の保冷用具の冷却方法における保冷部材は、防水性と通気性とを備えた材料から成る構成とすることができ、あるいは又、不透水性を有する材料から構成とすることができるが、要は、保冷部材に要求される仕様、使用用途等に応じて、どのような材料から構成するかを決定すればよい。
【００１０】
上記の好ましい構成を含む本発明の保冷用具、あるいは、本発明の保冷用具の冷却方法において、装着部材は、保冷用具の用途に応じて、適宜、好適な形態とすればよい。装着部材に保持される保冷部材の形状、個数、寸法に関しても、保冷用具の用途に応じて、適宜、好適な構成とすればよい。装着部材を構成する材料として、不織布、天然繊維、合成繊維等から成る布材、皮革、ニット等、広く周知の材料を挙げることができる。ここで、装着部材は、衣服状である構成することができるし、あるいは又、頭部に装着される構成とすることができるし、あるいは又、首部に装着される構成とすることができるし、あるいは又、身体の所望の部位に装着される構成とすることができるが、これらに限定するものではなく、例えば、保冷用具を頭の下に敷く枕としてもよいし、所謂抱き枕（寝具の一種であり、頭の下に敷くのではなく、抱くようにして使用するもの）としてもよいし、シート状としてもよいし、一種のタオル状としてもよいし、マット等の寝具、トラック等における仮眠用ベッドにて用いるマットとして用いてもよいし、椅子の背もたれに配置する一種のカバーとして用いてもよいし、鮪や鰤等の魚の冷凍鮮度保持シートとして用いてもよい。装着部材を衣服状とするとき、装着部材として、より具体的には、作業着や作業服、消防服、防火服、オーバー、ジャンパー、ベスト、レジャー用ベスト、ゴルフベスト、作業用ベスト、チョッキ、法被、ズボン、アンダーパッド、スポーツ用ユニフォーム、Ｔシャツ、ランニングシャツ、ブラジャー等の下着や肌着、矯正用下着、各種インナー、サポーター、医療用としての患部を冷却するための各種部材を挙げることができる。衣服状の装着部材は、衣服の下に装着される形態であってもよいし、装着部材それ自体が衣服である形態であってもよい。装着部材が頭部に装着される構成として、具体的には、例えば、装着部材が帽子である構成を挙げることができ、帽子の内側に保冷部材を保持すれば、蒸れ易い帽子内を良好な環境に保つことができる。尚、このような帽子には、例えば、癌患者の治療の際に用いる頭部を冷やすための帽子あるいはキャップが含まれる。あるいは又、装着部材が帽子である構成とする場合、保冷部材を、後頭部や首の後部に垂らされた日よけ垂れとすることができる。また、装着部材を帯状（バンド状）の部材とすれば、頭部への装着、首部への装着、腕や手首といった上肢部や腿や足部といった下肢部、胴部への装着を容易に行うことができる。帯状の装着部材は、閉じた環状を成していてもよい。例えば、伸縮性のある布材等から帯状（バンド状）の装着部材を構成し、これを閉じた環状としてもよい。場合によっては、本発明の保冷部材をシート状とし、保冷部材を、直接、装着してもよい。あるいは又、装着部材をリュックサック状の部材とすることもできる。
【００１１】
保冷用具を構成する装着部材において、保冷部材は交換可能に保持される形態とすることができ、これによって、保冷部材の保冷効果が低下した際に、随時、新たな保冷部材に交換し、容易に保冷効果を回復させることができるといった利点を有する。装着部材に保冷部材を保持する方法や構造は特に限定されるものではなく、広く周知の方法や構造を適用することができる。例えば、装着部材にポケット状の格納部を形成し、この格納部に保冷部材が格納されて保持される構造や、対を成す嵌合部材の内、一方の嵌合部材を保冷部材に取り付け、他方の嵌合部材を装着部材に取り付け、それらの嵌合部材を嵌合させることにより保冷部材が保持される構造を挙げることができる。このような嵌合部材として、ボタン、バネホック、スナップボタン、面ファスナー等、広く周知の嵌合部材を用いることができる。また、例えばフック状の金物やプラスチック、布から作製された留め具を保冷部材に取り付け、係る留め具にて保冷部材を装着部材に取り付けてもよい。尚、保冷部材は装着部材に間接的に保持される構成であってもよい。即ち、例えば、嵌合部材が取り付られた袋の中に保冷部材を格納し、この袋の嵌合部材と装着部材の嵌合部材とが嵌合される構造としてもよい。
【００１２】
以上に説明した好ましい構成を含む本発明の保冷用具あるいはその冷却方法、本発明の保冷部材において、樹脂製発泡部材を構成する材料として、ウレタンフォーム、メラミンフォーム、又は、ポリビニルアルコール（ＰＶＡ）スポンジを挙げることができる。より具体的には、例えば、株式会社イノアックコーポレーション製の商品名「コスミオン」といった、特殊イソシアネートプレポリマーを配合ベースとした親水性ウレタンフォーム、同社製の商品名「バソテクト」といったメラミンフォーム、同社製の商品名「モルトプレンＳＡＱ」といったエステル系ポリウレタンフォームを例示することができる。
【００１３】
更には、以上に説明した好ましい構成を含む本発明の保冷用具あるいはその冷却方法、本発明の保冷部材において、水には薬剤が含まれていることが好ましく、薬剤として抗菌剤、消臭剤を挙げることができる。尚、水として、水道水や井戸水等の水だけでなく、蒸留水、純水、イオン交換水、脱気した水を用いることもできる。
【００１４】
更には、以上に説明した好ましい構成を含む本発明の保冷用具あるいはその冷却方法、本発明の保冷部材において、収納部材は袋状であることが好ましい。ここで、収納部材には、樹脂製発泡部材を収納するための開口部が設けられている構成とすることができる。そして、係る開口部を介して樹脂製発泡部材に吸水させてもよいし、係る開口部とは別に孔部を設け、係る孔部を介して樹脂製発泡部材に吸水させてもよい。また、必要に応じて、収納部材の開口部を封止するための密閉手段を備えている構成とすることもできる。あるいは又、収納部材を、防水性を備えた材料から成る箱部材、及び、この箱部材に設けられた開口部を塞ぐための、防水性と通気性とを備えた材料から成る蓋部材から構成とすることもできる。開口部を封止するための密閉手段を有する収納部材として、ジッパーあるいはチャックの付いた再封可能な収納部材を挙げることができ、より具体的には、旭化成株式会社の登録商標「ジップロック」タイプの収納部材を挙げることができる。あるいは又、樹脂製発泡部材に吸水させた後、開口部をヒートシール等によって封止してもよいし、開口部を面ファスナーを用いて閉じてもよい。
【００１５】
更には、以上に説明した好ましい構成を含む本発明の保冷用具あるいはその冷却方法、本発明の保冷部材にあっては、収納部材内において、樹脂製発泡部材は、水の移動を妨げること無く、複数の区画に分けられている構成とすることができる。樹脂製発泡部材を複数の区画に分けるためには、具体的には、例えば、保冷部材を、即ち、収納部材及び樹脂製発泡部材を、粗く縫い合わせればよい。このように樹脂製発泡部材を複数の区画に分けることで、保冷部材を使用する際、保冷部材を所望の形状に容易に賦形することができる。
【００１６】
以上に説明した好ましい構成を含む本発明の保冷用具あるいはその冷却方法、本発明の保冷部材を総称して、以下、単に本発明と呼び、本発明の保冷用具あるいはその冷却方法における保冷部材及び本発明の保冷部材を総称して、以下、保冷部材等と呼ぶ。
【００１７】
保冷部材等を構成する樹脂製発泡部材は自己吸水性を有しているが、ここで、自己吸水性を有するとは、乾燥した樹脂製発泡部材（乾燥質量：Ｍ0）を水槽内の２０゜Ｃの水に静かに浮かべたとき、１８０秒以内に、乾燥質量Ｍ0の３０倍以上の水を、好ましくは、乾燥質量Ｍ0の５０倍以上の水を、一層好ましくは、乾燥質量Ｍ0の１００倍以上の水を樹脂製発泡部材が吸水することを意味する。あるいは又、自己吸水性を有するとは、乾燥した樹脂製発泡部材に２０゜Ｃの水を１ｃｍ3滴下したとき、３秒以内に滴下した水を樹脂製発泡部材が吸水し、樹脂製発泡部材の表面に水滴が残らないことを意味する。
【００１８】
収納部材は、その一態様にあっては、防水性と通気性とを備えた材料から成るが、具体的には、内部の水蒸気（気体）を外部に拡散させるが、内部の水（液体）は外部に透過させない性質を有する。係る材料として、無数の細孔を有する合成繊維の不織布を挙げることができるし、あるいは又、より具体的には、例えば、ジャパンゴアテックス株式会社製のゴアテックス（登録商標）メンブレンあるいはゴアテックス（登録商標）ファブリックを挙げることができる。収納部材を、更に、袋に格納してもよい。係る袋は、例えば合成繊維やガラス繊維、合成皮革、防水シートラミネート布、表面にラミネート層を形成した合成皮革、アルミニウム箔等の金属箔や金属フィルム等から作製すればよく、あるいは又、防水ラミネート構造材料から作製すればよい。また、収納部材は、別の態様にあっては、不透水性を有する材料から成るが、ここで、不透水性を有する材料とは、保冷部材の使用に際して収納部材の内部に存在する水が外部に漏れ出したり、滲み出たりせず、しかも、通気性を有していない材料を意味し、具体的には、係る材料として、水や水蒸気を通過させないプラスチック、防水シートラミネート布、表面にラミネート層を形成した合成皮革、アルミニウム箔等の金属箔や金属フィルムを例示することができる。袋や収納部材の外面の少なくとも一部に、赤外線や可視光、紫外線を反射する反射膜（例えば、アルミニウム粉末を含む塗装膜や、ラミネート反射膜）を形成してもよい。以下の表に、収納部材を構成する材料、収納部材の内部と外部の連通状態を纏めておく。
【００１９】
0005004937.tif 000002
【００２０】
保冷部材等の形状や寸法は、特に限定するものではなく、保冷部材や保冷用具の用途に応じて、適宜、設定すればよい。例えば、保冷部材等の形状を、厚さ数ｍｍ〜数十ｍｍ程度の板状とすることができる。保冷部材等をシート状とし、保冷部材等を、直接、適切な保持部材を用いて装着する形態とする場合、収納部材内において、樹脂製発泡部材が水の移動を妨げること無く、複数の区画に分けられている構成とすれば、例えば、身体の背中や首部、後頭部、胴部等の部位に合わせて、あるいは、例えば、椅子の背もたれの形状に合わせて、即ち、装着すべき部分の形状と相補的な適切な形状に賦形することができる。
【００２１】
本発明における薬剤として、抗菌剤、清涼剤、芳香剤、殺菌剤、消臭剤を例示することができるが、中でも、上述したとおり、少なくとも抗菌剤を含むことが好ましい。これにより、収納部材の構成、構造にも依るが、保冷部材やその周辺に抗菌効果が及び、保冷部材周辺の環境を良好に保つことができるし、あるいは又、樹脂製発泡部材に吸収された水が腐敗することを防止することができる。抗菌剤として、周知の無機系抗菌剤や有機系抗菌剤を、適宜、選択して用いることができる。例えば、無機系抗菌剤として安定化二酸化塩素、二酸化塩素、次亜塩素酸ナトリウムや、塩化銅、硝酸銅、塩化銀、硝酸銀等の金属イオン化合物を挙げることができ、有機系抗菌剤として、化学合成した抗菌剤の他、杉の精油、キトサン、ヒノキチオール、わさびエキス、辛子エキス、木酢等、天然由来の抗菌剤を挙げることができる。これらの抗菌剤の中でも、抗菌剤として安定化二酸化塩素を用いた構成は、継続的な効果を得るのに好適である。即ち、安定化二酸化塩素は、重炭酸ソーダ等を安定化剤として用いて二酸化塩素を水中に安定に溶解、保持させたものであり、徐々に二酸化塩素が発生するので継続的な効果を得ることができる。樹脂製発泡部材をこれらの薬剤を含む水溶液等の溶液に浸漬したり、噴霧する等の周知の方法により、容易に樹脂製発泡部材に薬剤を含ませることができる。
【００２２】
水に塩化ナトリウム等の塩類を加えると水から氷に転移する温度が低下し、氷から水への相転移を遅らせることができるので、保冷部材の水に塩化ナトリウム等の塩類が含まれている構成とすることもできる。
【発明の効果】
【００２３】
本発明にあっては、保冷部材等に含まれる水の潜熱、より具体的には、固相をなす水（氷）が液化する際の溶解熱や液相をなす水の気化熱により保冷効果を発揮する。本発明の保冷部材等においては、自己吸水性を有する樹脂製発泡部材を用いるので、多量の氷が含まれた状態で保冷部材等を使用することができる結果、長時間に亙り、高い保冷効果を維持することができる。また、本発明の保冷用具にあっては、長時間身体に装着し保冷効果が低下した場合であっても、身体から離して暫くの間、外気に晒すことにより、比較的短い時間で保冷部材等の温度が低下し、ある程度、保冷効果を回復させることができる。しかも、樹脂製発泡部材を、防水性と通気性とを備えた材料から成る収納部材に収納すれば、樹脂製発泡部材に含まれた水は蒸気となって収納部材を通過して外部に拡散するが、樹脂製発泡部材に含まれた水は収納部材を通過することが無い。従って、保冷部材が配置された環境を汚染することが無い。また、樹脂製発泡部材を、不透水性を有する材料から成る収納部材に収納すれば、樹脂製発泡部材に含まれた水が収納部材を通過して外部に拡散することがなくなり、樹脂製発泡部材に水を補給すること無しに繰り返し、保冷部材を使用することができる。また、水に薬剤、例えば抗菌剤を含ませれば、保冷部材やその周辺に抗菌効果が及び、保冷部材周辺の環境を良好に保つことができるし、あるいは又、樹脂製発泡部材に吸収された水が腐敗することを防止することができる。
【００２４】
また、本発明の保冷用具を身体に装着したとき、氷を含んだ樹脂製発泡部材は収納部材に収納されているので、樹脂製発泡部材が衣服等を濡らしたり、肌に付着することによる不快感が生じることは無い。また、樹脂製発泡部材に含まれた水を凍らせるが、本発明者の実験によれば、保冷部材全体をマイナス５０゜Ｃ程度まで冷却しても、水が氷となる際の体積膨張によって、樹脂製発泡部材が変形したり、破損することはなかったし、収納部材に破損が生じることもなかった。
【発明を実施するための最良の形態】
【００２５】
以下、図面を参照して、実施例に基づき本発明を説明する。
【実施例１】
【００２６】
実施例１は、本発明の保冷部材、保冷用具、及び、保冷用具の冷却方法に関する。
【００２７】
保冷部材を組み立てる前の状態の模式図を図１に示すように、実施例１の保冷部材１０は、
（Ａ−１）自己吸水性を有し、水を含んだ樹脂製発泡部材１１、及び、
（Ａ−２）樹脂製発泡部材１１を収納する収納部材１２、
から構成されている。また、図２に示すように、保冷用具は、この保冷部材１０と、この保冷部材１０が保持される装着部材２０を備えている。
【００２８】
ここで、樹脂製発泡部材１１を、ウレタンフォーム、具体的には、特殊イソシアネートプレポリマーを配合ベースとした親水性ウレタンフォーム（株式会社イノアックコーポレーション製の商品名「コスミオンＮＬ−１」）とした。樹脂製発泡部材１１の大きさを、縦×横×厚さ＝１３０×８０×２０（ｍｍ）とした。
【００２９】
また、収納部材１２は、防水性と通気性とを備えた材料から成る。具体的には、収納部材１２を不織布から作製した。ここで、収納部材１２は袋状である。そして、収納部材１２には、樹脂製発泡部材１１を収納するための開口部１３が設けられている。開口部１３の部分を除き、収納部材１２の周縁部はシートシールされている。収納部材１２には、開口部１３とは別に孔部１４が設けられており、係る孔部１４を介して樹脂製発泡部材１１に吸水させる。
【００３０】
更には、水には薬剤が含まれている。薬剤は、安定化二酸化塩素、杉の精油等の抗菌剤である。尚、保冷部材１０の用途に応じて、薬剤は、適宜、選択すればよい。
【００３１】
この保冷部材１０の組み立てにあっては、収納部材１２に設けられた開口部１３を介して、収納部材１２内に樹脂製発泡部材１１を収納した後、開口部１３をヒートシールすることで、開口部１３を閉鎖した。樹脂製発泡部材１１の内部と外部は、孔部１４を介して連通状態にある。次いで、所定の濃度の薬剤（抗菌剤）を含む水溶液を調製し、水溶液を満たした槽に、樹脂製発泡部材１１を収納した収納部材１２の全体を浸漬した。水溶液は、瞬時、孔部１４を介して樹脂製発泡部材１１に吸水された。３個の樹脂製発泡部材１１の吸水状態の測定結果を以下の表１に示すが、乾燥質量をＭ0（単位：グラム）、吸水後の質量をＭ1（単位：グラム）で表す。乾燥した樹脂製発泡部材１１に２０゜Ｃの水を１ｃｍ3滴下したとき、３秒以内に滴下した水を樹脂製発泡部材１１が吸水し、樹脂製発泡部材１１の表面には水滴が残らなかった。尚、薬剤の濃度は、保冷部材１０の用途に応じて好適に設定すればよい。こうして得られた水を含んだ保冷部材１０を、マイナス２０度に設定された冷凍庫内にて冷却（冷凍）し、樹脂製発泡部材１１に含まれた水を、固相状態（氷）、若しくは、液相及び固相状態（氷と水が混在した状態）とする。即ち、使用時、樹脂製発泡部材１１に含まれた水を、固相状態、若しくは、液相及び固相状態とする。実施例１にあっては、より具体的には、固相状態とした。水が氷となる際の体積膨張によって、樹脂製発泡部材１１や収納部材１２が破損することはなかった。
【００３２】
［表１］
Ｍ0           Ｍ1            Ｍ1／Ｍ0
実施例１−Ａ      １．２        ２１８．５      １８２
実施例１−Ｂ      １．２        １９８．０      １６５
実施例１−Ｃ      １．２        １９８．０      １６５
比較例２−Ａ      ４．５          ９８．０        ２１．８
比較例２−Ｂ      ４．５        １０１．０        ２２．４
比較例２−Ｃ      ４．５        １０１．０        ２２．４
【００３３】
そして、こうして得られた、樹脂製発泡部材に含まれた水が固相状態（氷）となった保冷部材１０を、図２に示すように、装着部材２０にて保持した。ここで、装着部材２０をベストとし、ベストの内側にポケット状の格納部２１を設け、保冷部材１０を格納部２１に格納した。尚、図２においては、便宜上、格納部２１が装着部材２０の外側に設けられているように図示しているが、実際には、格納部２１は装着部材２０の内側に設けられている。
【００３４】
試験のために、３箇所の格納部２１を有する装着部材（ベスト）２０を３着、準備した。また、比較例１として、同じ大きさのゲル状の保冷部材（パール金属株式会社製の商品名「クールタイム」であり、質量１４７．５グラム）を、３個、準備した。更には、同じ大きさのウレタンフォーム（但し、自己吸水性を有していないウレタンフォームであり、株式会社イノアックコーポレーション製の商品名「カラーフォームＥＭＭ」）を用いて、実施例１と同様にして、３つの保冷部材を比較例２として作製した。尚、比較例２にて使用したウレタンフォームは容易に吸水しなかったので、手でウレタンフォームを圧縮した状態として、水中に沈め、元の大きさに開放することで、ウレタンフォームを吸水させた。また、乾燥したウレタンフォームに２０゜Ｃの水を１ｃｍ3滴下したとき、３秒が経過した後にも、ウレタンフォームの表面に水滴のまま残っていた。そして、比較例１及び比較例２の保冷部材を、実施例１の保冷部材と同様に、マイナス２０度に設定された冷凍庫内にて冷却（冷凍）した。そして、実施例１の保冷部材、比較例１の保冷部材、比較例２の保冷部材を、各装着部材２０の３箇所の格納部２１に格納した。そして、各装着部材２０をマネキンに着せ、３体のマネキンを４０゜Ｃに保持された恒温室内に搬入し、各保冷部材の温度上昇を測定した。尚、比較例２の保冷部材のＭ0及びＭ1の値を、表１に掲げておく。比較例２の保冷部材にあっては、Ｍ1／Ｍ0の値は、実施例１のＭ1／Ｍ0の値の約０．１３倍しかない。即ち、比較例２の保冷部材にあっては、実施例１の保冷部材１１よりも、単位体積当たり、非常に少ない水を含んでいるに過ぎない。また、実施例１のウレタンフォームと比較例２のウレタンフォームの断面を顕微鏡観察し、１．５ｍｍ×２．０ｍｍの領域内に気泡が、どの程度、含まれているかを測定したところ、実施例１のウレタンフォームにあっては３８０〜５２０個、比較例２のウレタンフォームにあっては３４〜４８個であった。また、他の樹脂製発泡部材においても同様の気泡の数を測定したところ、１．５ｍｍ×２．０ｍｍの領域内に１００個以上の気泡が含まれているとき、保冷部材における樹脂製発泡部材として適していることが判明した。一方、１．５ｍｍ×２．０ｍｍの領域内に含まれる気泡の数が１万を越えると、１つの気泡の大きさが小さくなりすぎ、水の浸入量が減少する結果、樹脂製発泡部材全体に含まれる水の量が減少する傾向にあるので、余り好ましくはない。
【００３５】
温度上昇測定結果を、図３に示す。比較例１（図３に点線で示す）にあっては、約４時間経過後に２５゜Ｃに達し、比較例２（図３に、実線、破線及び一点鎖線で示す）にあっては、約２〜３時間経過後に２５゜Ｃに達したのに対して、実施例１（図３に、実線、破線及び一点鎖線で示す）にあって、約６時間経過後に２５゜Ｃに達した。
【００３６】
実際の保冷用具の使用に際しては、水を含んだ保冷部材１０を格納部２１に格納した装着部材２０から構成された保冷用具を、マイナス１８゜Ｃに維持された冷凍庫内にて冷却（冷凍）し、以て、樹脂製発泡部材１１に含まれた水を、固相状態、若しくは、液相及び固相状態とする。そして、このような状態となった保冷用具を冷凍庫から取り出し、使用すればよい。装着部材が衣服状である場合には、装着部材を、例えば、ハンガーに掛けた状態で冷凍庫内にて冷却（冷凍）すれば、冷凍庫から取り出し、直ちに使用に供することができる。
【００３７】
例えば、装着部材を消防服とすれば、消防士の出動時、直ちに、多量の氷を含んだ保冷部材が保持された消防服を装着することができるし、装着部材をレジャー用ベストやゴルフベストとすれば、顧客の要望に応じて、直ちに、多量の氷を含んだ保冷部材が保持されたレジャー用ベストやゴルフベストを供し、あるいは又、貸し出すことができる。
【００３８】
また、保冷部材１０を、更に、袋に格納してもよい。係る袋は、例えば合成繊維やガラス繊維から作製（例えば縫製）すればよく、あるいは又、防水ラミネート構造材料から作製すればよい。袋の外面の少なくとも一部に、赤外線や可視光、紫外線を反射する反射膜を形成すれば、太陽光等の外光を反射することができ、保冷部材の温度上昇を遅らせることができる。
【００３９】
あるいは又、実施例１の変形例として、保冷部材を、不透水性を有する材料から成る収納部材に、直接、格納してもよい。係る収納部材は、例えば、防水ラミネート構造材料から作製（例えば縫製）されている。係る収納部材の外面の少なくとも一部に、赤外線や可視光、紫外線を反射する反射膜を形成すれば、太陽光等の外光を反射することができ、保冷部材の温度上昇を遅らせることができる。そして、不透水性を有する材料から成る収納部材にあっては、樹脂製発泡部材を収納するための開口部が設けられている。開口部の部分を除き、収納部材の周縁部はシートシールされている。収納部材には、開口部とは別に孔部を設け、係る孔部を介して樹脂製発泡部材に、蒸留水、純水、イオン交換水、脱気した水を吸水させてもよい。あるいは又、開口部を介して樹脂製発泡部材に吸水させてもよく、この場合には、ジッパーあるいはチャックの付いた収納部材を用いることで開口部を開閉自在に封止してもよいし、開口部をヒートシール等によって封止してもよい。後述する実施例２〜実施例６においても、同様とすることができる。
【００４０】
このように、多量の氷を含んだ樹脂製発泡部材１１にあっては、先ず、氷の融解熱による保冷効果を発揮し、時間を経て氷が液化した後は、水の気化熱によって保冷効果を発揮する。そして、樹脂製発泡部材１１にあっては、多量の氷を含ませた状態で用いることができるので、長時間、保冷効果を維持することができる。尚、樹脂製発泡部材１１を、不透水性を有する材料から成る収納部材に収納すれば、樹脂製発泡部材１１に含まれた水が収納部材を通過して外部に拡散することがなくなるので、樹脂製発泡部材１１に水を補給することなく、繰り返し、保冷部材を使用することができる。また、水に薬剤（例えば抗菌剤）が含まれているので、保冷部材１０やその周辺に抗菌効果が及び、保冷部材周辺の環境を良好に保つことができるし、あるいは又、樹脂製発泡部材１１に吸収された水が腐敗することを防止することができる。
【実施例２】
【００４１】
実施例２は実施例１の変形である。実施例２においては、装着部材が頭部に装着される構成とした。実施例２の保冷部材１１０の模式的な平面図を図４の（Ａ）に示し、図４の（Ｂ）に、図４の（Ａ）の矢印Ｂ−Ｂに沿った断面図を示し、図４の（Ｃ）に、装着部材１２０としての帽子の一部を切り欠いた模式図を示す。実施例２においては、保冷部材１１０が、装着部材１２０としての帽子内に装着される。図４の（Ａ）及び（Ｂ）に示すように、保冷部材１１０は、樹脂製発泡部材１１１及び収納部材１１２から構成されている。実施例２においては、収納部材１１２を、２枚の不織布１１２Ａ，１１２Ｂから構成したが、これに限定するものではなく、上述したように、実施例１の変形例にて説明した構成、構造を採用してもよい。
【００４２】
実施例２の保冷部材１１０は、平面形状が略円形である点を除き、実施例１あるいはその変形例において説明したと同様の構成とすることができるので、詳細な説明は省略する。後述する他の実施例においても、保冷部材は、適宜、好適な形状や寸法とすればよい。
【００４３】
具体的には、例えば、樹脂製発泡部材１１１を挟んで包むのに足りる大きさの不織布１１２Ａ，１１２Ｂを準備する。そして、不織布１１２Ａ，１１２Ｂによって、樹脂製発泡部材１１１の全体を挟んで包み、不織布１１２Ａ，１１２Ｂの周辺部１１２Ｃをホットプレス法等の周知の方法で接着する。尚、不織布１１２Ａには孔部１１４が設けられている。また、図４の（Ａ）及び（Ｂ）に示すように、保冷部材１１０の区画１１０Ａと区画１１０Ａの間に位置する不織布１１２Ａ，１１２Ｂの部分１１５には、粗いミシン目が入れられており、粗く縫い合わされている。即ち、実施例２にあっては、収納部材１１２内において、樹脂製発泡部材１１１は、水の移動を妨げること無く、複数の区画に分けられている。このように樹脂製発泡部材１１１を複数の区画に分けることで、保冷部材１１０を使用する際、保冷部材１１０を所望の形状に容易に賦形することができる。
【００４４】
尚、保冷部材の賦形は、水を含んだ保冷部材を、マネキンの頭部に載置した状態で冷凍庫内にて冷却し、樹脂製発泡部材に含まれた水を、固相状態、若しくは、液相及び固相状態とすればよい。尚、以下の実施例においても、保冷部材を所望の形状に賦形するには、例えば、このような方法を採用すればよい。
【００４５】
図４の（Ｃ）は、保冷部材１１０を装着部材１２０である帽子内（より具体的には、ヘルメット内）に装着した状態を説明する模式図である。具体的には、ヘルメットの殻の部分である帽体１２１と内装体１２２との間に、保冷部材１１０が装着されている。固相をなす水（氷）を含んだ保冷部材１１０は、先ず、氷の融解熱による保冷効果を発揮し、時間を経て氷が液化した後は、水の気化熱によって保冷効果を発揮する。また、保冷部材１１０は抗菌剤を含んでいるので、保冷部材１１０及びその周辺に抗菌効果が及ぶ。更には、保冷部材１１０に含まれる水の量にも依るが、帽子の内部の湿気も、保冷部材１１０に吸収され得る。上述した各種の効果により、帽子の内部の環境を良好に保つことができる。尚、以下の実施例においても、同様の効果を得ることができる。
【実施例３】
【００４６】
実施例３も実施例１の変形である。実施例３の保冷用具は、実施例１あるいはその変形例において説明したと同様の保冷部材、及び、保冷部材が保持される装着部材２２０を備えている。装着部材２２０は衣服状である。図５に保冷用具の模式図を示すが、図５においては保冷部材の記載を省略した。実施例３の装着部材２２０は、衣服と身体の間に装着され、身体の保冷、防暑等に用いられる。
【００４７】
装着部材２２０は、例えばナイロン等の合成繊維から成る布材から作製されている。装着部材２２０には、ポケット状の格納部２２１が多数備えられている。参照番号２２２は頭部を通すための開口である。保冷部材（図示せず）は格納部２２１に格納されて保持される。装着部材２２０は、広く周知の縫製方法等により製造することができる。実施例３においては、格納部２２１を含めた装着部材２２０の全体が布材から構成されているので、格納部２２１は通気性を備えている。尚、実施例１において説明したと同様に、保冷部材は、袋に包まれた状態で格納部２２１に格納されていてもよい。開口２２２から頭部を通した後、ベルト２２３を締結部２２４に固定し、上半身に装着部材２２０を装着する。次いで、ベスト、レジャー用ベスト、ゴルフベスト、チョッキ、法被といった衣服２２５を着用する。あるいは又、作業着や作業服、消防服、防火服、オーバー、ジャンパーといった衣服を着用する。
【実施例４】
【００４８】
実施例４も実施例１の変形であり、実施例４の保冷用具は、実施例１あるいはその変形例において説明したと同様の保冷部材、及び、保冷部材が保持される装着部材３２０を備えている。装着部材３２０は衣服状であり、より具体的には、装着部材３２０それ自体が衣服（具体的には、ベスト、レジャー用ベスト、ゴルフベスト、チョッキあるいは法被）である。図６の（Ａ）は、装着部材３２０の外観の模式図であり、図６の（Ｂ）は、装着部材３２０の内側の模式図である。尚、装着部材を、作業着や作業服、消防服、防火服、オーバー、ジャンパーといった衣服とすることもできる。
【００４９】
装着部材３２０の内側には、ポケット状の格納部３２１が設けられている。略矩形の保冷部材１０は、格納部３２１に格納されて、保持される。実施例３と同様に、装着部材３２０は例えばナイロン等の合成繊維から成る布材から作製（例えば縫製）されている。尚、実施例１において説明したと同様に、保冷部材１０は、袋に包まれた状態で格納部３２１に格納されていてもよい。
【００５０】
図７の（Ａ）及び（Ｂ）に、保冷用具の変形例を示す。この変形例においては、保冷部材１０が袋３３０に収納される。袋３３０には、嵌合部材として対を成すバネホックの内、一方のバネホック３３２が取り付られている。参照番号３３１は袋３３０の開口部である。尚、嵌合部材としてバネホック３３２，３２２の代わりに、面ファスナー等を用いることもできる。
【００５１】
図７の（Ｂ）は、図７の（Ａ）に示した袋３３０を用いて保冷部材１０を装着部材３２０に保持させる方法を説明するための模式図である。装着部材３２０には、対を成すバネホックの内、他方の嵌合部材であるバネホック３２２が取り付られている。保冷部材１０は、袋３３０の開口部３３１から袋３３０に収納されている。そして、袋３３０に取り付られた一方のバネホック３３２と装着部材３２０の他方のバネホック３２２とが嵌合されることにより、装着部材３２０に保持される。実施例１において説明したと同様に、保冷部材１０は、袋に包まれた状態で袋３３０に収納されてもよい。尚、図面を簡素化するため、図７の（Ｂ）においては袋３３０が１つ取り付けられるとしたが、これに限るものではない。
【実施例５】
【００５２】
実施例５も実施例１の変形であり、実施例５の保冷用具は、実施例１において説明したと同様の保冷部材１０、及び、保冷部材１０が保持される装着部材４２０を備えている。装着部材４２０は帯状（バンド状）であり、より具体的には、装着部材４２０は頭部に装着される。
【００５３】
保冷用具の一部の模式的な平面図を図８の（Ａ）に示し、図８の（Ａ）に示すＢ−Ｂ断面図を図８の（Ｂ）に示し、装着部材４２０を頭部に装着した状態を模式的に図８の（Ｃ）に示す。尚、図８の（Ｂ）において、図面を簡素化するために、断面のハッチングを省略した。
【００５４】
装着部材４２０は、伸縮性を有する帯状（バンド状）の布材４２２Ａ，４２２Ｂから構成されている。より具体的には、布材４２２Ａ，４２２Ｂは、ポケット状の格納部４２１が形成されるように重ねて粗く縫製されている。保冷部材１０は、格納部４２１に格納されて保持される。実施例１において説明したと同様に、保冷部材１０は、袋に包まれた状態で格納部４２１に格納されていてもよい。また、実施例５においては、装着部材４２０を閉じた環状としたが、これに限るものではない。
【００５５】
尚、図８の（Ｃ）に示すように、装着部材４２０は頭部に装着されている。また、装着部材４２０’は首部に装着されている。尚、装着部材４２０’は、大きさが相違する点を除き、装着部材４２０と同様の構成を有する。
【実施例６】
【００５６】
実施例６も実施例１の変形であり、実施例６の保冷用具は、実施例１あるいはその変形例において説明したと同様の保冷部材、及び、保冷部材が保持される装着部材を備えている。装着部材は衣服状であり、より具体的には、装着部材それ自体が衣服である。具体的には、図９の（Ａ）及び（Ｂ）、図１０の（Ａ）及び（Ｂ）に示すように、装着部材としてのＴシャツや、ランニングシャツといったの下着や肌着の、胸の部分や脇の下の部分、ネック部の下の部分等にポケット状の格納部５２１を設け、この格納部５２１の略矩形の保冷部材を格納する。あるいは又、図１１の（Ａ）及び（Ｂ）に示すように、装着部材としてのブラジャーや、ロングラインブラジャー、スポーツ時の使用に適したブラジャー（所謂スポーツブラ）、コースレット、ボディスーツ、タンクトップ等のストラップ部分に、フック状の金物やプラスチック、布から作製された留め具５２２を保冷部材に取り付け、留め具５２２にて保冷部材１０を取り付けてもよい。保冷部材１０は、ブラジャー等と身体との間に挟み込んでおけばよい。
【実施例７】
【００５７】
実施例７も実施例１の変形であり、実施例７の保冷用具は、実施例１あるいはその変形例において説明したと同様の保冷部材、及び、保冷部材が保持される装着部材を備えている。ここで、実施例７にあっては、装着部材をリュックサック状とした。実施例７の装着部材の模式的な斜視図を図１２に示し、実施例７の装着部材を構成する本体部と収納部の模式的な分解斜視図を図１３に示す。尚、図１３においては、ベルト取付部等の図示を省略している。
【００５８】
実施例７の装着部材７０１は、
（Ａ）第１の辺７１１、第２の辺７１２、第３の辺７１３及び第４の辺７１４を備えた本体部７１０、
（Ｂ）本体部７１０の一方の面（表面、おもてめん）に備えられ、保冷部材１０を収納する第１収納部７２０及び第２収納部７３０、並びに、
（Ｃ）本体部７１０の対向する第２の辺７１２及び第４の辺７１４のそれぞれに少なくとも２箇所、配置され、固定用のベルトを着脱自在に取り付けるためのベルト取付部７１５（７１５Ａ，７１５Ｂ，７１５Ｃ，７１５Ｄ，７１５Ｅ，７１５Ｆ）、
から構成されている。
【００５９】
そして、第１収納部７２０及び第２収納部７３０のそれぞれには、保冷部材１０を収納するための開閉自在の開口７２１，７３１が設けられている。また、第１収納部７２０及び第２収納部７３０は、第１収納部７２０の開口７２１が本体部７１０の第３の辺７１３に対向し、第２収納部７３０の開口７３１が本体部７１０の第１の辺７１１に対向するように、且つ、第１収納部７２０の開口７２１と第２収納部７３０の開口７３１が対向するように並置されている。
【００６０】
第１収納部７２０には、更に、本体部７１０の第１の辺７１１に対向して、開閉自在の開口７２３が設けられており、第２収納部７３０には、更に、本体部７１０の第３の辺７１３に対向して、開閉自在の開口７３３が設けられている。
【００６１】
更には、収納部７２０，７３０の内側には、収納部７２０，７３０の内部を仕切るための仕切部材７２５，７３５が取り付けられている。
【００６２】
ここで、本体部７１０は、ナイロン繊維から成る布材から作製されており、略矩形形状（より具体的には、長方形）を有する。即ち、本体部７１０の外形形状は、４本の線分から構成されている。また、第１収納部７２０及び第２収納部７３０も、ナイロン繊維から成る布材から作製されている。そして、本体部７１０の第２の辺７１２及び第４の辺７１４に沿って、収納部７２０，７３０の縁部を本体部７１０に縫い合わせることで、収納部７２０，７３０は本体部７１０に取り付けられている。
【００６３】
また、ベルト取付部７１５（７１５Ａ，７１５Ｂ，７１５Ｃ，７１５Ｄ，７１５Ｅ，７１５Ｆ）は、金属から作製された円状の環状（リング状）の部材から構成されている。ここで、ベルト取付部７１５Ａは本体部７１０の第１の辺７１１と第４の辺７１４とが成すコーナー部付近に取り付けられており、ベルト取付部７１５Ｂは本体部７１０の第４の辺７１４の略中央付近に取り付けられている。また、ベルト取付部７１５Ｄは本体部７１０の第１の辺７１１と第２の辺７１２とが成すコーナー部付近に取り付けられており、ベルト取付部７１５Ｅは本体部７１０の第２の辺７１２の略中央付近に取り付けられている。更には、ベルト取付部７１５Ｃは本体部７１０の第４の辺７１４と第３の辺７１３とが成すコーナー部付近に設けられており、ベルト取付部７１５Ｆは本体部７１０の第２の辺７１２と第３の辺７１３とが成すコーナー部付近に設けられている。
【００６４】
開閉自在の開口７２１，７３１，７２３，７３３には、開口７２１，７３１，７２３，７３３の口の部分を開け閉めするために、面ファスナー７２２，７３２，７２４，７３４が取り付けられている。具体的には、開口７２１，７３１，７２３，７３３の内側には、面ファスナー７２２，７３２，７２４，７３４が縫い付けられている。また、仕切部材７２５，７３５も面ファスナーから成り、仕切部材７２５，７３５は、収納部７２０，７３０の内側に縫い付けられている。
【００６５】
図１２に示した状態にあっては、固定用のベルトとしての肩ベルト（ショルダーベルト）７４０が、装着部材７０１に着脱自在に取り付けられている。より具体的には、肩ベルト７４０は、一対の肩ベルト７４０Ａ，７４０Ｂから構成されている。肩ベルト７４０Ａ，７４０Ｂは、例えばナイロン繊維から成る布材から作製されており、それらの両端部には外れ止め付きのフック（具体的には図示せず）が取り付けられている。そして、肩ベルト７４０Ａの両端部は、本体部７１０に設けられたベルト取付部７１５Ａ，７１５Ｂに、外れ止め付きのフックによって着脱自在に取り付けられている。同様に、肩ベルト７４０Ｂの両端部は、本体部７１０に設けられたベルト取付部７１５Ｄ，７１５Ｅに、外れ止め付きのフックによって着脱自在に取り付けられている。このように固定用のベルトとしての肩ベルト（ショルダーベルト）７４０をベルト取付部７１５に取り付けることで、リュックサック様の形状、形態となり、容易に装着部材７０１を使用者の背中に装着することができる。尚、本体部７１０の第１の辺７１１の部分が使用者の頭部側になるように、装着部材７０１は背負われる。即ち、この場合、使用者の首の後ろの下方に本体部７１０の第１の辺７１１が位置することになる。
【００６６】
図１２及び図１３に示すように、使用者の頭部側となる本体部７１０の辺に沿った部分（実施例７にあっては、本体部７１０の第１の辺７１１の部分）は、例えばプラスチック板から成る芯材７１６によって補強されている。具体的には、本体部７１０の第１の辺７１１の部分は、芯材７１６と重ねて縫い合わされている。尚、本体部７１０の第２の辺７１２及び第４の辺７１４に対応する芯材７１６の部分も、本体部７１０及び第１収納部７２０と重ねて縫い合わされているが、これに限るものではない。芯材７１６は、その他、ステンレス鋼や形状記憶合金等の金属材料あるいは合金材料から成る線材、帯材あるいは板材；厚手のフェルト材等、広く周知の材料から作製することもできる。
【００６７】
装着部材７０１には、更に、ウェストベルト７４１が着脱自在に取り付けられている。ウェストベルト７４１も、例えばナイロン繊維から成る布材から作製されており、両端部には外れ止め付きのフックが取り付けられている。そして、ウェストベルト７４１の両端部は、本体部７１０に設けられたベルト取付部７１５Ｃ，７１５Ｆに、外れ止め付きのフックによって着脱自在に取り付けられている。
【００６８】
図１２に示すように、第１収納部７２０は開口７２１，７２３を備えており、第２収納部７３０は開口７３１，７３３を備えている。これらの開口から、第１収納部７２０及び第２収納部７３０のそれぞれに、２つの保冷部材１０を収納する。そして、開口７２１，７２３，７３１，７３３を閉じる。また、仕切部材７２５，７３５によって第１収納部７２０、第２収納部７３０の内部を区画することにより、２つの保冷部材１０が収納部７２０，７３０内で移動することが無くなり、保冷部材１０を安定して収納することができる。このように、容易に保冷部材１０を収納することができるし、取り外しは逆の手順で行うことができる。尚、仕切部材７２５が第１収納部７２０の内側に取り付けられている形態、仕切部材７３５が第２収納部７３０の内側に取り付けられている形態、仕切部材７２５，７３５が第１収納部７２０及び第２収納部７３０の内側に取り付けられている形態のいずれを採用してもよく、また、仕切部材の数も１以上であればよく、収納すべき保冷部材１０の寸法、形状、数量等を考慮して、適宜、決定すればよい。
【００６９】
また、使用者の頭部側となる本体部７１０の辺に沿った部分（実施例７にあっては、本体部７１０の第１の辺７１１の部分）は、芯材７１６によって補強されている。図１４の（Ａ）及び（Ｂ）は、芯材７１６による効果を説明するための模式図である。図１４の（Ａ）に示すように、使用者の背中に装着された装着部材７０１は、保冷部材１０の重量によって撓むように力を受ける。芯材７１６を備えた構成にあっては、図１４の（Ｂ）に示すように保冷部材１０の重量によって撓む程度が軽減され、装着部材７０１の装着性をより向上させることができ、装着部材７０１を安定して装着することが可能となる結果、保冷性が向上する。但し、例えば、保冷部材１０が軽く、保冷部材１０の重量によって撓む程度が少ない場合には、芯材７１６を設けることは不要である。
【００７０】
このように、装着部材７０１にあっては、容易に保冷部材１０を収納し、あるいは、取り外すことができるし、保冷部材１０の形状や数量等に柔軟に対応することができる。また、装着部材７０１に保冷部材１０は交換可能に収納されているので、保冷部材１０の保冷効果が低下した際に、随時、新たな保冷部材１０に交換し、容易に保冷効果を回復させることができる。しかも、衣服と異なり、いかなる部位、場所にも適用することができるし、使用形態に制限を受けることもなく、また、使用者の性別等によって多種の装着部材を準備するといった必要もないし、高い汎用性を有し、また、使用する場所や部位への適用性、応用性も高い。
【００７１】
尚、実施例７の装着部材にあっては、面ファスナー７２４を省略して、開口７２３の部分を縫い合わせてもよいし、また、面ファスナー７３４を省略して、開口７３３の部分を縫い合わせてもよい。また、面ファスナー３１を省略してもよい。後述する実施例８〜実施例９の装着部材にあっても同様である。
【００７２】
実施例７にあっては、上述したとおり、肩ベルト（ショルダーベルト）７４０をベルト取付部７１５に取り付けることで、リュックサック様の形状、形態となり、使用者の背中を冷却することができる。また、ウェストベルト装着部にウェストベルト７４１を装着することで、使用者の腰及びその周辺を冷却することができる。
【００７３】
代替的に、ウェストベルトをベルト取付部に固定あるいは縫い付けてもよい。即ち、ベルト取付部７１５Ｃ，７１５Ｆを省略し、ウェストベルトを２つの幅広の部材から構成し、各部材の一端部を本体部７１０の側端部に固定あるいは縫い付けてもよい。尚、各部材の他端部には面ファスナーを取り付ける。このような構成とすれば、ウェストベルトを構成する２つの部材のそれぞれを、使用者の胴部から腹部の前へと廻し、２つの部材の他端部に取り付けられた面ファスナーを用いて、２つの部材の他端部を相互に固定することができる。２つの幅広の部材の内側あるいは外側に、保冷部材１０を収納するための収納部を配置してもよい。あるいは又、図２に示した装着部材２０の背の部分を、図１２に示した、あるいは又、後述する図１５や図１９に示すリュックサック状としてもよい。また、肩ベルト（ショルダーベルト）の一端を係る２つの部材に取り付けてもよい。
【００７４】
実施例７の装着部材７０１を、例えば、使用者の衣服の下に装着してもよいし（インナータイプ）、使用者の衣服の上に装着してもよい（アウタータイプ）。あるいは又、実施例７の装着部材７０１を、椅子の背もたれに配置したり、チャイルドシートやチャイルドシートベッド、ゆりかご、頭の下に敷く枕、抱き枕、マット等の寝具、トラック等における仮眠用ベッドにて用いるマット等に装着して用いることもできる。また、実施例７の装着部材７０１をリュックサックやナップザックの中に格納してもよいし、実施例７の装着部材７０１をリュックサックやナップザックの背側に取り付けてもよい。後述する実施例８〜実施例１０においても同様である。
【００７５】
本体部や収納部、後述する取付部材や突出部は、布製とすることができる。ここで、布材として、天然繊維あるいは合成繊維から成る織布や不織布等、広く周知の布材を用いることができる。あるいは又、本体部や収納部、取付部材、突出部を、皮革製やニット製とすることもできるし、メッシュ状の材料から作製することもできる。本体部や収納部、突出部の形状、大きさは、装着部材の仕様に応じて、適宜、設定すればよい。本体部は４つの辺を有しているが、各辺は、線分から構成されていてもよいし、線分の組合せから構成されていてもよいし、曲線から構成されていてもよいし、線分と曲線の組合せから構成されていてもよい。即ち、本体部の外形形状は本質的に任意であるが、最も簡素な外形形状は矩形あるいは概ね矩形である。尚、本体部の外形形状によっては４つの辺の交点が明確でない場合があるが、このような場合、ベルト取付部とベルト取付部との間の本体部の外形線を辺とみなせばよい。少なくとも本体部の第２の辺及び第４の辺に沿って、収納部の縁部を本体部に縫い合わせることで、あるいは又、収納部の縁部を本体部に接着剤を用いて固定することで、収納部を本体部に取り付けることができる。
【００７６】
開閉自在の開口には、開口の口の部分を開け閉めするために、広く周知の係止部材を取り付ければよい。係る係止部材として、あるいは又、上述した仕切部材として、例えば、面ファスナー、スナップファスナー、ボタン、バネホック、スナップボタンを挙げることができる。
【００７７】
肩ベルトやウェストベルト、後述する第１ベルト部や第２ベルト部として、広く周知のものを使用することができる。例えば、ナイロン繊維等の布製ベルト、閉じた環状のベルト、バックル等の嵌合部を備えたベルトを挙げることができる。ベルトを構成する素材は伸縮性を備えていてもよい。肩ベルトやウェストベルト、第１ベルト部、第２ベルト部の着脱方法も、広く周知の方法とすることができる。具体的には、例えば、肩ベルトの両端部に設けられた係止具を、本体部のベルト取付部に係止すればよい。ベルト取付部は、例えば、金属や合金、プラスチックから作製された円状あるいは三角形状、矩形状、「Ｄ」字状等の環状（リング状）の部材から構成すればよい。係止具として、例えば、外れ止め付きのフックや、カラビナを例示することができる。場合によっては、肩ベルトやウェストベルトの一端にズボン吊り金具と同様の金具を取り付け、係る金具によって本体部の縁部を挟むことにより着脱自在に取り付けてもよい。
【実施例８】
【００７８】
実施例８は、実施例７の変形である。実施例８の装着部材が、実施例７の装着部材と相違する点は、ウェストベルトの取り付け構造にある。
【００７９】
図１５は、実施例８の装着部材８０１を説明するための模式的な斜視図である。装着部材８０１にあっては、本体部７１０の他方の面（裏面）には、ウェストベルトを着脱自在に装着するためのウェストベルト装着部が備えられている。ここで、ウェストベルト装着部は、本体部７１０の他方の面、及び、本体部７１０の他方の面に取り付けられた取付部材７６０から構成されており、本体部７１０の他方の面と取付部材７６０との間の隙間にウェストベルトを通す。尚、図１５に示した実施例８の装着部材８０１においては、実施例７において説明した肩ベルト７４０の図示を省略している。但し、場合によっては、肩ベルト７４０の使用は不要である。
【００８０】
図１６は、実施例８の装着部材８０１を構成する本体部７１０と収納部７２０，７３０の模式的な分解斜視図である。尚、図１６においても、ベルト取付部７１５等の図示を省略した。図１５及び図１６に示すように、本体部７１０には取付部材７６０が重ねられている。基本的には、本体部７１０と取付部材７６０とを重ねた状態で、実施例７において説明したと同様の縫製処理がなされる。但し、実施例８においては、本体部７１０と取付部材７６０とを重ねた状態で、更に参照番号７６１及び参照番号７６２に示す部分を重ねて縫い合わせる。これにより、本体部７１０、取付部材７６０及び縫い合わせ部７６１，７６２により隙間７６３が形成される。ウェストベルト７４２は本体部７１０と取付部材７６０との間に設けられた隙間７６３に挿入されている。ウェストベルト７４２は、例えば伸縮性を備えた布材から作製されており、バックル（図示せず）を備えている。
【００８１】
このような構成を採用することで、使用者への装着部材の密着性が向上し、結果として保冷性が向上するし、ウェストベルトを極めて容易に着脱自在に装着することができる。尚、場合によっては、本体部の一方の面にウェストベルト装着部を設けてもよい。
【００８２】
図１７は、実施例８の装着部材８０１の使用方法を説明するための模式図であり、装着部材を、使用者の衣服の下に装着したインナータイプの例である。使用者は、ウェストベルト７４２を胴部に巻くことにより、装着部材８０１を胴部（より具体的には、背中）に良好に密着させることができる。尚、参照番号７７０は上着である。
【００８３】
尚、以上に説明した実施例８の装着部材の基本的な構成、構造を、後述する実施例９、実施例１０の装着部材に適用することができる。
【実施例９】
【００８４】
実施例９も、実施例７の変形である。模式的な斜視図を図１８に示すように、実施例９の装着部材９０１にあっては、第２の辺７１２から突出した第１突出部７８０、第４の辺７１４から突出した第２突出部７９０、第１突出部７８０の先端部７８１に取り付けられた第１ベルト部７８２、及び、第２突出部７９０の先端部７９１に取り付けられ、第１ベルト部７８２と係止する第２ベルト部７９２を、更に備えている。そして、第１突出部７８０には、保冷部材１０を収納する第１ポケット部７８３が設けられており、第２突出部７９０には、保冷部材１０を収納する第２ポケット部７９３が設けられている。第１突出部７８０及び第２突出部７９０を設けることによって、容易に、使用者の脇の下や胴部の側部を冷却することができる。尚、使用者の胸部において、第１ベルト部７８２と第２ベルト部７９２とを係止すればよい（止めればよい）。
【００８５】
尚、第１突出部７８０及び第２突出部７９０は、本体部７１０と一体的に作製されていてもよいし、例えば本体部７１０に縫い付けされていてもよいし、例えばファスナー等によって本体部７１０に着脱自在に取り付けられていてもよい。ポケット部７８３，７９３の上端部は、開閉自在の開口となっている。そして、これらの開口の口の部分を開け閉めするために、広く周知の係止部材を取り付けてもよい。係る係止部材として、例えば、面ファスナー、スナップファスナー、ボタン、バネホック、スナップボタンを挙げることができる。また、第１ベルト部７８２と第２ベルト部７９２とを係止するためには、例えば、面ファスナー、スナップファスナー、ボタン、バネホック、スナップボタンを用いればよい。
【００８６】
実施例９にて説明した装着部材９０１は、上述したとおり、実施例８にて説明した装着部材８０２に適用することができるし、次に述べる実施例１０の装着部材１００１に適用することもできる。
【実施例１０】
【００８７】
実施例１０にあっても、装着部材をリュックサック状とした。実施例１０の装着部材の模式的な斜視図を図１９に示し、実施例１０の装着部材を構成する本体部と収納部の模式的な分解斜視図を図２０に示す。尚、図２０においては、ベルト取付部等の図示を省略している。
【００８８】
実施例１０の装着部材１００１も、保冷部材１０を装着するための装着部材である。実施例１０の装着部材１００１は、
（Ａ）第１の辺１０１１、第２の辺１０１２、第３の辺１０１３及び第４の辺１０１４を備えた本体部１０１０、
（Ｂ）本体部１０１０の一方の面（表面、おもてめん）に備えられ、保冷部材１０を収納する第１収納部１０２０及び第２収納部１０３０、並びに、
（Ｃ）本体部１０１０の対向する第２の辺１０１２及び第４の辺１０１４のそれぞれに少なくとも２箇所、配置され、固定用のベルトを着脱自在に取り付けるためのベルト取付部１０１５（１０１５Ａ，１０１５Ｂ，１０１５Ｃ，１０１５Ｄ，１０１５Ｅ，１０１５Ｆ）、
から構成されている。尚、以上に説明した本体部１０１０及びベルト取付部１０１５の構成、構造は、実施例７にて説明した本体部７１０及びベルト取付部７１５と同じ構成、構造とすることができる。
【００８９】
そして、実施例１０の装着部材１００１にあっては、第１収納部１０２０には、保冷部材１０を収納するための開閉自在の上部開口１０２１及び下部開口１０２３が設けられており、第２収納部１０３０には、保冷部材１０を収納するための開閉自在の上部開口１０３１が設けられている。また、第１収納部１０２０及び第２収納部１０３０は、第１収納部１０２０の上部開口１０２１が本体部１０１０の第１の辺１０１１に対向し、第２収納部１０３０の上部開口１０３１が本体部１０１０の第１の辺１０１１に対向するように、且つ、第１収納部１０２０の下部開口１０２３と第２収納部１０３０の上部開口１０３１が対向するように並置されている。
【００９０】
更には、収納部１０２０，１０３０の内側には、収納部１０２０，１０３０の内部を仕切るための仕切部材１０２５，１０３５が取り付けられている。仕切部材１０２５，１０３５は面ファスナーから成り、仕切部材１０２５，１０３５は、収納部１０２０，１０３０の内側に縫い付けられている。仕切部材１０２５，１０３５によって第１収納部１０２０、第２収納部１０３０の内部を区画することにより、２つの保冷部材１０（図１９には図示せず））が収納部１０２０，１０３０内で移動することが無くなり、保冷部材１０を安定して収納することができる。
【００９１】
ここで、本体部１０１０は、ナイロン繊維から成る布材から作製されており、略矩形形状（より具体的には、長方形）を有する。即ち、本体部１０１０の外形形状は、４本の線分から構成されている。また、第１収納部１０２０及び第２収納部１０３０も、ナイロン繊維から成る布材から作製されている。そして、本体部１０１０の第２の辺１０１２及び第４の辺１０１４に沿って、収納部１０２０，１０３０の縁部を本体部１０１０に縫い合わせ、第１収納部１０２０の下部を、下部開口１０２３の部分を除き、本体部１０１０に縫い合わせ、第２収納部１０３０の下部を本体部１０１０に縫い合わせることで、収納部１０２０，１０３０は本体部１０１０に取り付けられている。開閉自在の開口１０２１，１０３１には、開口１０２１，１０３１の口の部分を開け閉めするために、面ファスナーを取り付けてもよいし、面ファスナーを取り付けなくともよい。
【００９２】
図１９に示した状態にあっては、固定用のベルトとしての肩ベルト（ショルダーベルト）が、実施例７と同様に、装着部材に着脱自在に取り付けられている。肩ベルトの構成、構造は、実施例７にて説明した肩ベルト７４０の構成、構造と同様とすることができるので，詳細な説明は省略する。尚、一方の肩ベルトの両端部は、本体部１０１０に設けられたベルト取付部１０１５Ａ，１０１５Ｂに、外れ止め付きのフックによって着脱自在に取り付けられている。同様に、他方の肩ベルトの両端部は、本体部１０１０に設けられたベルト取付部１０１５Ｄ，１０１５Ｅに、外れ止め付きのフックによって着脱自在に取り付けられている。
【００９３】
また、図１９及び図２０に示すように、使用者の頭部側となる本体部１０１０の辺に沿った部分（実施例１０にあっては、本体部１０１０の第１の辺１０１１の部分）は、例えばプラスチック板から成る芯材１０１６によって補強されている。具体的には、本体部１０１０の第１の辺１０１１の部分は、芯材１０１６と重ねて縫い合わされている。尚、本体部１０１０の第２の辺１０１２及び第４の辺１０１４に対応する芯材１０１６の部分も、本体部１０１０及び第１収納部１０２０と重ねて縫い合わされているが、これに限るものではない。芯材１０１６の構成、構造は、実施例７にて説明した芯材７１６と同様の構成、構造とすることができる。
【００９４】
装着部材１００１には、更に、実施例７と同様に、ウェストベルトが着脱自在に取り付けられている。ウェストベルトの構成、構造は、実施例７にて説明したウェストベルト７４１の構成、構造と同様とすることができるので，詳細な説明は省略する。尚、ウェストベルトの両端部は、本体部１０１０に設けられたベルト取付部１０１５Ｃ，１０１５Ｆに、外れ止め付きのフックによって着脱自在に取り付けられている。
【００９５】
以上、本発明を好ましい実施例に基づき説明したが、本発明はこれらの実施例に限定されるものではない。実施例において説明した保冷部材、装着部材、保冷用具を構成する各種の構成要素の構成、構造、製造方法は例示であり、適宜、変更することができる。
【００９６】
上述した実施例においては、保冷用具を基本的に人体に用いる形態を説明したが、これに限るものではない。例えば、本発明の保冷部材をマット状とし、犬や猫等の動物用冷却マットとして用いることもできる。また、上述したように、本発明の保冷部材はマイナス５０゜Ｃ程度まで冷却しても、水が氷となる際の体積膨張によって、保冷部材が変形したり、破損することはなかった。従って、充分に冷却された保冷部材を、ドライアイスの代替として使用することもできる。また、充分に冷却された保冷部材を、食品トレーの下敷等として用いることもできる。使用する前に、防水性と不通気性とを備えた袋の中で保冷部材を保管（保存）しておけば、あるいは又、収納部材を不透水性を有する材料から構成し、開口部を封止しておけば、保冷部材の樹脂製発泡部材に含まれている水の蒸発を防止することができるし、そのままの状態で、樹脂製発泡部材に含まれている水を凍らせることで、直ちに使用することができるし、繰り返し、使用することができる。
【００９７】
また、例えば、実施例７及び実施例８において、本体部７１０の第２の辺７１２あるいは第４の辺７１４が使用者の頭部側となる構成とすることもできる。この場合にあっては、本体部７１０の第２の辺７１２あるいは第４の辺７１４の部分が芯材７１６により補強されていればよい。また、実施例８においては、縫い合わせ部７６１，７６２が、本体部７１０の第２の辺７１２あるいは第４の辺７１４と同方向に延びる構成とすればよい。実施例８において説明した装着部材８０１と同様に、実施例７において説明した装着部材７０１においても、例えば肩ベルト７４０が取り外された状態で使用されてもよい。また、実施例８において説明した装着部材８０１においても、肩ベルト７４０が取り付けられた構成とし、背負われて使用されてもよい。更には、肩ベルト及びウェストベルトを用いることなく、装着部材を使用することもできる。
【００９８】
寒冷期には、図２１の模式的な斜視図に示すように、例えば、実施例７の装着部材７０１に、例えば、２つのヒーター部７５２Ａ，７５２Ｂを備えた保温部材７５１を収納することができる。尚、図２１においては、肩ベルト７４０とウェストベルト７４１の図示を省略した。保温部材７５１は、電流が流れることにより発熱する保温部材であり、平面状の第１のヒーター部７５２Ａ及び第２のヒーター部７５２Ｂを備えている。第１のヒーター部７５２Ａには、電源からの配線７５４が接続されており、例えば電池から電流が供給される。第２のヒーター部７５２Ｂには、第１のヒーター部７５２Ａに接続された配線７５３を介して電流が供給される。上述したように、装着部材７０１にあっては、第１収納部７２０に開口７２１が設けられており、第２収納部７３０に開口７３１が設けられており、開口７２１と開口７３１とは対向している。従って、開口７２１から第１収納部７２０内に第１のヒーター部７５２Ａを収納し、開口７３１から第２収納部７３０内に第２のヒーター部７５２Ｂを収納すればよい。開口７２１と開口７３１とが対向して設けられているので、第１のヒーター部７５２Ａと第２のヒーター部７５２Ｂとが配線７５３で接続されていても、何ら問題なく収納し、あるいは、取り外すことができる。また、図２２の模式的な斜視図に示すように、実施例１０の装着部材１００１にあっては、第１収納部１０２０の下部開口部１０２３から、二つ折りにした保温部材７５２Ａを第１収納部１０２０に収納し、第１収納部１０２０の内部で保温部材７５２Ａを広げる。また、第２収納部１０３０の上部開口部１０３１から保温部材７５２Ｂを第２収納部１０３０に収納する。取り外しは逆の手順で行うことができる。
【図面の簡単な説明】
【００９９】
【図１】図１は、実施例１の保冷部材を組み立てる前の状態の模式図である。
【図２】図２は、実施例１の保冷用具の模式図である。
【図３】図３は、実施例１及び比較例１、比較例２の保冷部材の温度変化を測定した結果を示すグラフである。
【図４】図４の（Ａ）は保冷用具の模式的な平面図であり、図４の（Ｂ）は、図４の（Ａ）に示すＢ−Ｂ断面図であり、図４の（Ｃ）は保冷用具を装着部材である帽子内に装着した状態を説明する模式図である。
【図５】図５は、実施例３の保冷用具の模式図である。
【図６】図６の（Ａ）及び（Ｂ）は、それぞれ、実施例４の保冷用具の外観の模式図、及び、保冷用具の内側の模式図である。
【図７】図７の（Ａ）及び（Ｂ）は、それぞれ、実施例４の保冷部材の変形例が収納される袋の模式図、及び、保冷部材を装着部材に保持させる方法を説明するための模式図である。
【図８】図８の（Ａ）及び（Ｂ）は、それぞれ、実施例５の保冷用具の一部の模式的な平面図、Ｂ−Ｂ断面図、及び、保冷用具を頭部に装着した状態、首部に装着した状態を説明した模式図である。
【図９】図９の（Ａ）及び（Ｂ）は、それぞれ、実施例６における保冷部材が保持された装着部材を模式的に示す図である。
【図１０】図１０の（Ａ）及び（Ｂ）は、それぞれ、実施例６における保冷部材が保持された別の装着部材を模式的に示す図である。
【図１１】図１１の（Ａ）及び（Ｂ）は、それぞれ、実施例６における保冷部材が保持された更に別の装着部材を模式的に示す図である。
【図１２】図１２は、実施例７の装着部材を説明するための模式的な斜視図である。
【図１３】図１３は、実施例７の装着部材を構成する本体部と収納部の模式的な分解斜視図である。
【図１４】図１４の（Ａ）及び（Ｂ）は、芯材による効果を説明するための模式図である。
【図１５】図１５は、実施例８の装着部材を説明するための模式的な斜視図である。
【図１６】図１６は、実施例８の装着部材を構成する本体部と収納部の模式的な分解斜視図である。
【図１７】図１７は、実施例８の装着部材の使用方法の一例を説明するための模式図である。
【図１８】図１８は、実施例９の装着部材を説明するための模式的な斜視図である。
【図１９】図１９は、実施例１０の装着部材を説明するための模式的な斜視図である。
【図２０】図２０は、実施例１０の装着部材を構成する本体部と収納部の模式的な分解斜視図である。
【図２１】図２１は、２つのヒーター部を備えた保温部材を実施例７の装着部材に収納する状態を示す模式的な斜視図である。
【図２２】図２２は、２つのヒーター部を備えた保温部材を実施例１０の装着部材の変形例に収納する状態を示す模式的な斜視図である。
【符号の説明】
【０１００】
１０，１１０・・・保冷部材、１１，１１１・・・樹脂製発泡部材、１２，１１２・・・収納部材、１３・・・開口部、１４，１１４・・・孔部、２０，１２０，２２０，３２０，４２０，４２０’・・・装着部材、２１，２２１，３２１，４２１・・・格納部、１１０Ａ・・・保冷部材の区画、１１２Ａ，１１２Ｂ・・・不織布、１１２Ｃ・・・不織布の周辺部、１１５・・・不織布の部分、１２１・・・帽体、１２２・・・内装体、２２２・・・開口、２２３・・・ベルト、２２４・・・締結部、２２５・・・衣服、３３０・・・袋、３３１・・・開口部、３２２，３３２・・・バネホック、４２２Ａ，４２２Ｂ・・・布材、５２２・・・留め具、７０１．８０１，９０１，１００１・・・装着部材、７１０，１０１０・・・本体部、７１１，１０１１・・・第１の辺、７１２，１０１２・・・第２の辺、７１３，１０１３・・・第３の辺、７１４，１０１４・・・第４の辺、７１５，７１５Ａ，７１５Ｂ，７１５Ｃ，７１５Ｄ，７１５Ｅ，７１５Ｆ，１０１５，１０１５Ａ，１０１５Ｂ，１０１５Ｃ，１０１５Ｄ，１０１５Ｅ，１０１５Ｆ・・・ベルト取付部、７１６，１０１６・・・芯材、７２０，１０２０・・・第１収納部、７３０，１０３０・・・第１収納部、７２１，７２３，７３１，７３３，１０２１，１０２３，１０３１・・・開口、７２２，７２４，７３２，７３４・・・面ファスナー、７２５，７３５，１０２５，１０３５・・・仕切部材、７４０，７４０Ａ，７４０Ｂ・・・肩ベルト、７４１，７４２・・・ウェストベルト、７６０・・・取付部材、７６１，７６２・・・縫い合わせ部、７６３・・・隙間、７７０・・・上着、７８０，７９０突出部、７８１，７９１突出部の先端部、７８２，７９２・・・ベルト部、７８３，７９３・・・ポケット部
【図１】
0005004937.tif 000003
【図２】
0005004937.tif 000004
【図３】
0005004937.tif 000005
【図４】
0005004937.tif 000006
【図５】
0005004937.tif 000007
【図６】
0005004937.tif 000008
【図７】
0005004937.tif 000009
【図８】
0005004937.tif 000010
【図９】
0005004937.tif 000011
【図１０】
0005004937.tif 000012
【図１１】
0005004937.tif 000013
【図１２】
0005004937.tif 000014
【図１３】
0005004937.tif 000015
【図１４】
0005004937.tif 000016
【図１５】
0005004937.tif 000017
【図１６】
0005004937.tif 000018
【図１７】
0005004937.tif 000019
【図１８】
0005004937.tif 000020
【図１９】
0005004937.tif 000021
【図２０】
0005004937.tif 000022
【図２１】
0005004937.tif 000023
【図２２】
0005004937.tif 000024